(57)【要約】【課題】  弾撥性鋼材の弾撥力を利用して、強い力で歯列等を押圧することにより早期に前歯・奥歯等の整列・平坦化及び矯正を行うことを目的とする。また傾斜した歯が直立する方向に押圧を加えることができる歯列矯正具を提供することを目的とする。【解決手段】本発明は、前歯を前方から後方へ向け矯正する一本の弾撥性鋼材、押圧部、該押圧部をワイヤを介して固着する第一ベース部材及び第二ベース部材からなる歯列矯正具であって、該一本の弾撥性鋼材はその略中央に把持部が形成され、当該把持部の両端より後方へ向って押圧部を避けて屈曲し、第一ベース部材を貫通し、第一ベース部材と離間して後方に位置する第二ベース部材に挿入され、かつ該一本の弾撥性鋼材は二箇所に鍔を有し、第一ベース部材内には該鍔を係止する止め部が形成され、また少なくとも第二ベース部材には奥歯に掛け渡すためのクラスプが形成されている歯列矯正具である。【選択図】図１
2008253806.tif 000002
【特許請求の範囲】
【請求項１】
前歯を前方から後方へ向け矯正する一本の弾撥性鋼材、押圧部、該押圧部をワイヤを介して固着する第一ベース部材及び第二ベース部材からなる歯列矯正具であって、該一本の弾撥性鋼材はその略中央に把持部が形成され、当該把持部の両端より後方へ向って押圧部を避けて屈曲し、第一ベース部材を貫通し、第一ベース部材と離間して後方に位置する第二ベース部材に挿入され、かつ該一本の弾撥性鋼材は二箇所に鍔を有し、第一ベース部材内には該鍔を係止する止め部が形成され、また少なくとも第二ベース部材には奥歯に掛け渡すためのクラスプが形成されていることを特徴とする歯列矯正具。
【発明の詳細な説明】
【技術分野】
【０００１】
本発明は、弾撥性鋼材の弾撥力を利用して上下顎の少なくとも犬歯・小臼歯・大臼歯のいずれか一以上の整列・平坦化及び矯正を行う歯列矯正具に関する。
【背景技術】
【０００２】
上下顎の犬歯・小臼歯・大臼歯の整列・平坦化及び矯正を行う歯列矯正具としては種々のものが知られている。例えば、複数のワイヤの一部を合成樹脂で覆った２つの部材をエキスパンションスクリューなどを介して接合した歯列矯正具が知られている。この歯列矯正具は、ワイヤを左右対称の奥歯又は歯列に巻き付けた後、エキスパンションスクリューによって２つの部材の間隔を調節することにより、歯列矯正を行っていた。すなわち左右対称に植立する犬歯・小臼歯・大臼歯を内側から外側へ向け矯正するためには、ワイヤを左右の奥歯等に巻き付けた後、２つの部材の間隔が開くようにネジ等でエキスパンションスクリューを拡開する。他方、左右対称に植立する歯列を外側から内側へ向け矯正するためには、ワイヤを左右の奥歯等に巻き付けた後、２つの部材の間隔が狭くなるようにネジ等でエキスパンションスクリューを狭閉する。エキスパンションスクリューは、一般的に一回の拡開又は狭閉において２００μｍづつ動かしている。
【０００３】
このような矯正方法は、２つの合成樹脂の間にエキスパンションスクリューを形成する必要があり、さらにワイヤと歯列の位置を調整する必要もあり、製造に相当の技術が必要とされている。またエキスパンションスクリューによって拡開又は狭閉するため、歯列を押圧する力が２０〜７０ｇ程度と弱く、２〜３週間で８ｍｍ程度歯列が動く程度であった。また奥歯等が傾斜している場合は、傾斜したままの状態で歯列矯正を行う必要があり、傾斜している歯を整列させることは難しかった。
さらに他の歯列矯正具としては、特許文献１〜５に記載されたものが挙げられる。
【０００４】
【特許文献１】特開２００５−７０２８
【特許文献２】特開２００４−６５８１４
【特許文献３】特開２００３−２０４９７３
【特許文献４】特開２００２−１７７２９９
【特許文献５】特開２００１−１６１７１５
【発明の開示】
【発明が解決しようとする課題】
【０００５】
本発明は、弾撥性鋼材の弾撥力を利用して、強い力で歯列等を押圧することにより早期に前歯・奥歯等の整列・平坦化及び矯正を行うことを目的とする。また傾斜した歯が直立する方向に押圧を加えることができる歯列矯正具を提供することを目的とする。
【課題を解決するための手段】
【０００６】
本発明は、上記の課題を解決するために以下の構成を採用した。
本発明は、前歯を前方から後方へ向け矯正する一本の弾撥性鋼材、押圧部、該押圧部をワイヤを介して固着する第一ベース部材及び第二ベース部材からなる歯列矯正具において、該一本の弾撥性鋼材はその略中央に把持部が形成され、当該把持部の両端より後方へ向って押圧部を避けて屈曲し、第一ベース部材を貫通し、第一ベース部材と離間して後方に位置する第二ベース部材に挿入され、かつ該一本の弾撥性鋼材は二箇所に鍔を有し、第一ベース部材内には該鍔を係止する止め部が形成され、また少なくとも第二ベース部材には奥歯に掛け渡すためのクラスプが形成されていることを特徴とする歯列矯正具である。
【発明の効果】
【０００７】
本発明は、弾撥性鋼材の弾撥力を利用して、強い力で歯列等を押圧することにより早期に前歯・奥歯等の整列・平坦化及び矯正を行うことができる。
また本発明に係る歯列矯正具を使用することにより、傾斜した歯が直立する方向に押圧を加えることができるという効果を奏する。
【発明を実施するための最良の形態】
【０００８】
図１は、本発明に係る実施形態の一例を示した歯列矯正具５０，５１である。上顎及び下顎に該歯列矯正具５０，５１を装着した状態を示す平面図である。歯列矯正具５０は上顎用であり、５１は下顎用である。
図１に示すように本実施形態に係る歯列矯正具５０は、上顎の前歯９を前方から後方へ向け矯正する押圧部４０、弾撥性鋼材４１、前記押圧部４０をワイヤ４２を介して固着する第一ベース部材４４及び第二ベース部材４５からなる歯列矯正具５０である。
前記弾撥性鋼材４１はその略中央に把持部４３が形成され、当該把持部４３の両端より後方へ向って押圧部４０を避けて屈曲し、第一ベース部材４４を貫通し、第一ベース部材４４と離間して後方に位置する第二ベース部材４５に挿入されている。前記弾撥性鋼材４１は二箇所に鍔４８，４８を有し、第一ベース部材４４内には鍔４８，４８を係止する止め部４９，４９が形成されている。また第一ベース部材４４は二箇所にクラスプ５３を有し、かかるクラスプ５３を夫々歯８，８に巻着することにより固定されている。また第二ベース部材４５には奥歯１８，１８に掛け渡すためのクラスプ５４，５４が形成されている。第二ベース部材４５内には、円筒状のレール５６，５６が成形されており、かかるレール５６，５６の内筒に弾撥性鋼材４１の両端が挿入されている。
【０００９】
また歯列矯正具５１は、下顎の前歯１１を前方から後方へ向け矯正する押圧部４０’、弾撥性鋼材６１、前記押圧部４０’をワイヤ６２を介して固着する第一ベース部材６４及び２つの第二ベース部材６５，６５からなる歯列矯正具５１である。前記弾撥性鋼材６１はその略中央に把持部６３が形成され、当該把持部６３の両端より後方へ向って押圧部４０’を避けて屈曲し、第一ベース部材６４を貫通し、第一ベース部材６４と離間して後方に位置する第二ベース部材６５，６５に挿入される。前記弾撥性鋼材６１は二箇所に鍔６８，６８を有し、第一ベース部材６４内には鍔６８，６８を係止する止め部６９，６９が形成されている。また第一ベース部材６４は二箇所にクラスプ７３を有し、夫々歯８’，８’に巻着することにより固定されている。また第二ベース部材６５，６５には奥歯１８’，１８’に掛け渡すためのクラスプ７４，７４が形成されている。第二ベース部材６５，６５内には、円筒状のレール７６，７６が成形されており、かかるレール７６，７６の内筒に弾撥性鋼材６１の両端が挿入されている。
【００１０】
なお弾撥性鋼材４１，６１は、硬鋼線（ＳＷＣ）、ピアノ線（ＳＷＰ）等によって成形され、押圧部４０，４０’、第一ベース部材４４，６４及び第二ベース部材４５，６５，６５は熱硬化型プラスチック樹脂若しくは即時重合レジンで形成されている。
このような歯列矯正具５０，５１を歯列に装着した状態で、弾撥性鋼材４１，６１の把持部４３，６３を後方に押すことにより、弾撥性鋼材４１，６１に形成された鍔４８，６８が第一ベース部材４４，６４を押圧する。かかる応力によって前歯９，１１が押圧されることにより、弾撥性鋼材４１，６１は後方へ押し込まれる。やがて弾撥性鋼材４１，６１の両端が第二ベース部材４５，６４内のレール５６，７６の底部に達する。かかる押圧によって前方から後方へ前歯が矯正され、歯間の隙間が狭くなると共に、倒れている前歯を起こすことができる。
【図面の簡単な説明】
【００１１】
【図１】実施形態の一例に係る歯列矯正具を前方に傾斜等する歯列に装着した状態を示す平面図である。
【符号の説明】
【００１２】
５０，５１    歯列矯正具
４０，４０’  押圧部
４１，６１  弾撥性鋼材
４２，６２  ワイヤ
４４，６４  第一ベース部材
４５，６５  第二ベース部材
４３，６３  把持部
４８  鍔
５３  クラスプ
９，１１  前歯
６９  止め部
【図１】
2008253806.tif 000003